(57)【要約】【課題】ファインダ表示部の構成をコストダウンし、組立性及び相互の発光素子の遮光性を向上し、かつ輝度むらを改善することを可能にした撮像装置を提供する。【解決手段】光学ファインダと、操作部材のスイッチが実装され、前記光学ファインダに重ねて配置される両面基板と、前記基板の前記光学ファインダと対向しない第１の面に実装される第１の発光素子と、前記基板の前記光学ファインダと対向する第２の面に実装される第２の発光素子と、前記光学ファインダの近傍で前記第１の発光素子の光を一端より入射させ、他端より出射する第１の導光部と、前記光学ファインダの近傍で前記第２の発光素子の光を一端より入射させ、他端より射出する第２の導光部と、を有することを特徴とする構成とする。【選択図】図１
2012133108.tif 000002
【特許請求の範囲】
【請求項１】
光学ファインダと、
操作部材のスイッチが実装され、前記光学ファインダに重ねて配置される両面基板と、
前記基板の前記光学ファインダと対向しない第１の面に実装される第１の発光素子と、
前記基板の前記光学ファインダと対向する第２の面に実装される第２の発光素子と、
前記光学ファインダの近傍で前記第１の発光素子の光を一端より入射させ、他端より射出する第１の導光部と、
前記光学ファインダの近傍で前記第２の発光素子の光を一端より入射させ、他端より射出する第２の導光部と、を有することを特徴とする撮像装置。
【請求項２】
前記光学ファインダから前記第２の発光素子までの距離が前記光学ファインダから前記第１の発光素子までの距離よりも大きくなるように、前記第１及び第２の発光素子が前記両面基板に実装されることを特徴とする請求項１に記載の撮像装置。
【請求項３】
前記第１の発光素子は光学ファインダと重なる位置に実装されることを特徴とする請求項１又は２に記載の撮像装置。
【請求項４】
前記第１及び第２の導光部は、一体的に構成されていることを特徴とする請求項１から３のいずれか１項に記載の撮像装置。
【請求項５】
前記両面基板は、ハード基板であることを特徴とする請求項１から４のいずれか１項に記載の撮像装置。
【請求項６】
前記第１及び第２の発光素子の光は、前記光学ファインダの横に導光されることを特徴とする請求項１から５のいずれか１項に記載の撮像装置。
【請求項７】
前記両面基板は、前記第１及び第２の発光素子の間に互いの光を遮蔽するための凸部が形成されていることを特徴とする請求項１から６のいずれか１項に記載の撮像装置。
【請求項８】
前記第１及び第２の発光素子の発光面は、互いに異なる方向を向いていることを特徴とする請求項１から７のいずれか１項に記載の撮像装置。
【請求項９】
前記第１及び第２の発光素子は、それぞれ前記第１及び第２の導光部の射出面に対して４５度の角度で配置されていることを特徴とする請求項１から８のいずれか１項に記載の撮像装置。
【発明の詳細な説明】
【技術分野】
【０００１】
本発明は、電子機器の表示部に関し、特にデジタルスチルカメラ等の光学ファインダ脇に配置する表示部に関するものである。
【背景技術】
【０００２】
従来、光学ファインダを具備するデジタルカメラは、光学ファインダの脇に表示部を備えていることが一般的である。この表示部は、ファインダを覗いているユーザに対して、カメラが合焦状態であれば緑色に点灯し、ストロボ発光時であれば橙色に点灯するなどしてカメラの状態をユーザに知らせるものである。
【０００３】
表示部の構成としては、特許文献１の図２及び図３で開示されているように、操作スイッチなどが実装されたフレキシブルプリント基板（ＦＰＣ）上に発光素子を実装し、背面カバーに導光体が固定されるという構成であった。発光素子は鏡筒制御用のＦＰＣに実装される場合もある。
【先行技術文献】
【特許文献】
【０００４】
【特許文献１】特開２０１０−０８０２８２号公報
【発明の概要】
【発明が解決しようとする課題】
【０００５】
しかしながら、特許文献１に開示された従来技術では、ＦＰＣの発光素子部分はカメラ本体に位置決めされ、導光体は背面カバーに位置決めする必要があったため、発光素子と導光体との位置がずれ易く、組立工数が余分に必要であった。また、発光素子は通常２つ実装されるが、２つの距離が近いため他方の光が回り込んで光漏れが起こる場合もあり、別途光漏れを防ぐ対策が必要であった。
【０００６】
そこで、本発明の目的は、ファインダ表示部の構成をコストダウンし、組立性及び相互の発光素子の遮光性を向上し、かつ輝度むらを改善することを可能にした撮像装置を提供することである。
【課題を解決するための手段】
【０００７】
上記目的を達成するために、本発明の撮像装置は、光学ファインダと、操作部材のスイッチが実装され、前記光学ファインダに重ねて配置される両面基板と、前記基板の前記光学ファインダと対向しない第１の面に実装される第１の発光素子と、前記基板の前記光学ファインダと対向する第２の面に実装される第２の発光素子と、前記光学ファインダの近傍で前記第１の発光素子の光を一端より入射させ、他端より出射する第１の導光部と、前記光学ファインダの近傍で前記第２の発光素子の光を一端より入射させ、他端より射出する第２の導光部と、を有することを特徴とする。
【発明の効果】
【０００８】
本発明によれば、同一の基板に発光素子を実装しているため、カメラ本体に対する位置決めが簡単となり、組立性が向上する。さらには、一方の発光素子を基板の表側に実装し、もう一方の発光素子を基板の裏側に実装することにより、遮光するための部材を用いることなくそれぞれの光を混ざらなくすることができる。また、発光素子から表示部までの導光距離を長くすることができるため、導光体と発光素子との位置ずれを吸収して輝度むらを軽減することができる。
【０００９】
以上に述べたように、低コストな構成で、組立性及び発光素子の相互の遮光性が向上し、輝度むらが低減された光学ファインダの表示部を有する撮像装置を提供することができる。
【図面の簡単な説明】
【００１０】
【図１】本発明を適用したデジタルカメラの実施例における構成を最も端的に示した斜視図である。
【図２】本発明を適用したデジタルカメラの実施例における分解斜視図である。
【図３】本発明を適用したデジタルカメラの実施例における断面図である。
【図４】本発明を適用したデジタルカメラの実施例における斜視図である。
【図５】本発明を適用したデジタルカメラの実施例における上面図である。
【発明を実施するための形態】
【００１１】
以下に、本発明の好ましい実施の形態を、添付の図面に基づいて詳細に説明する。図１は、本発明の実施形態にかかわるファインダ表示部の構成を示す斜視図である。図１（ａ）は上方から見た斜視図であり、図１（ｂ）は下方から見た斜視図である。
【００１２】
１０１は発光素子であるＬＥＤの光を外観部まで導光し、デジタルカメラ（撮像装置）の状態を表示する導光体である。導光体１０１は、第１及び第２の入射面１０１ａ、１０１ｂ、第１及び第２の導光部１０１ｃ、１０１ｄにより一体的に構成されている。１０２は光学ファインダであり、鏡筒のズーム駆動に連動して望遠側・広角側に駆動する。このとき、導光体１０１は、光学ファインダ１０２の近傍に配置されている。１０３は両面基板であり、光学ファインダ１０２の上側で、光学ファインダ１０２に重ねて配置され、上面操作部材のスイッチ、例えば電源スイッチやレリーズスイッチなどが実装される。本実施例では補助光用のＬＥＤやストロボ発光用のトリガーコイルも実装されている。
【００１３】
導光体１０１の第１入射面１０１ａに入光する位置に端面発光型ＬＥＤ１０３ａ（第１の発光素子）が実装される。同様に導光体１０１の第２入射面１０１ｂに入光する位置に端面発光型ＬＥＤ１０３ｂ（第２の発光素子）が実装される。
【００１４】
光学ファインダ１０２の筺体が両面基板１０３の直下にあるため、光学ファインダ１０２に近い方の端面発光型ＬＥＤ１０３ａは、両面基板１０３の光学ファインダ１０２と対向しない第１の面に実装される。このとき、端面発光型ＬＥＤ１０３ａは光学ファインダ１０２と重なる位置に実装される。また、光学ファインダ１０２に遠い方の端面発光型ＬＥＤ１０３ｂは、ＬＥＤの相互の光が混ざらないように両面基板１０３の光学ファインダ１０２と対向する第２の面に実装される。すなわち、光学ファインダ１０２から端面発光型ＬＥＤ１０３ｂまでの距離が光学ファインダ１０２から端面発光型ＬＥＤ１０３ａまでの距離よりも大きくなるように、端面発光型ＬＥＤ１０３ａ及び端面発光型ＬＥＤ１０３ｂが両面基板１０３に実装される。端面発光型ＬＥＤ１０３ａと端面発光型ＬＥＤ１０３ｂの間の基板外側に凸部１０３ｃが形成されているが、これもＬＥＤ相互の光が混ざらないよう遮蔽するための形状である。
【００１５】
図２は、本発明の実施形態にかかわるデジタルカメラの分解斜視図である。デジタルカメラの本体部１１４の上方から両面基板１０３を組み込み、続いて上面カバーユニット１１３が組まれて、ビスで本体部１１４に締結される。上面カバーユニット１１３は、電源ボタン、レリーズボタン、ズームレバー、モードダイアルなどで構成される。導光体１０１は、背面カバー１１２に位置決め・固定される。本体部に前面カバー１１１と背面カバー１１２が組まれる。
【００１６】
図３は、本発明の実施形態にかかわる端面発光型ＬＥＤ１０３ａの光線経路を示す断面図である。簡単のために中心光線だけを示している。デジタルカメラの各操作により点灯・点滅した端面発光型ＬＥＤ１０３ａの発光面からの光線は、導光体１０１の入射面（一端）に略垂直に入射し、第１の導光部１０１ｃの反射面で２度反射し、射出面（他端）から射出される。
【００１７】
端面発光型ＬＥＤ１０３ｂの発光面からの光線経路も端面発光型ＬＥＤ１０３ａとほぼ同様である。しかし、図１に示す通り、端面発光型ＬＥＤ１０３ｂは、カメラ長手方向の座標が導光体１０１の射出面と異なる位置にあるため、第２の導光部１０１ｄの３個の反射面で３度反射させる。
【００１８】
第１及び第２の導光部１０１ａ、１０１ｂの反射面の角度は、射出面から光線が略垂直に射出されるように調整する。導光体１０１の射出面がデザイン形状に沿った傾きを有しているときは、射出面での光線の屈折を考慮して反射面の角度を調整する。
【００１９】
以上に述べたように本発明の実施形態では、同一の基板に発光素子を実装しているため、カメラ本体に対する位置決めが簡単となり、組立性が向上する。よって組立コストも抑えることができる。
【００２０】
更にコストを下げるためには、両面基板にＦＰＣと比較して低コストであるハード基板を使用することが有用である。
【００２１】
また、図３を見て分かるとおり、本発明の実施形態では従来に比べて導光距離を長くすることができる。従来では、ＬＥＤと導光体との位置ずれがそのまま輝度むらとして現れ品位が低下していたが、このように導光距離を長くすることによって光を拡散し、輝度むらを低減することができる。本実施例では両面基板１０３はデジタルカメラの本体部１１４に位置決めされ、導光体１０１は背面カバー１１２に位置決めされるため、ＬＥＤと導光体の位置ずれが生じやすい。しかしながら、導光距離を長くすることによってこの位置ずれを吸収することができるのである。
【００２２】
本実施例では、導光体１０１のように表示窓が横並びで一方は２回反射、もう一方は３回反射とする導光体を用いたが、導光体の形状やＬＥＤの配置はこれに限ったものではない。例えば図４に示すとおり、表示窓を縦並びとしてＬＥＤ２０３ａの光線は反射させずに直線的に導光する導光体２０１のような形状としてもよい。
【００２３】
導光体の形状及びＬＥＤの配置の別の例を図５に示す。図５は導光体と基板を上面から見た図である。基板の表側にＬＥＤ３０３ａを、基板の裏側にＬＥＤ３０３ｂをそれぞれ射出面に対して略４５度の角度で配置する。ＬＥＤ３０３ａの光線経路を図に細線で示すとおり、光線は導光体３０１の反射面で２度反射し、表示窓から垂直に射出される。ＬＥＤ３０３ｂの光線についても左右対称となるだけで全く同様である。このように、それぞれの光線が遠ざかるようにＬＥＤを配置することで、一方の光がもう一方の光と混ざらないようにすることができる。導光体の形状やＬＥＤの配置はこのような考え方により、様々な形状、配置をとることができる。
【００２４】
以上、本発明の好ましい実施形態について説明したが、本発明はこれらの実施形態に限定されず、その要旨の範囲内で種々の変形及び変更が可能である。
【符号の説明】
【００２５】
１０１…導光体
１０２…光学ファインダ
１０３…両面基板
１０３ａ、１０３ｂ…端面発光型ＬＥＤ
【図１】
2012133108.tif 000003
【図２】
2012133108.tif 000004
【図３】
2012133108.tif 000005
【図４】
2012133108.tif 000006
【図５】
2012133108.tif 000007